(57)【特許請求の範囲】
【請求項１】
集合型クレードルと、複数台のカラオケ選曲リモコンとを備えたシステムであって、
集合型クレードルは、１つの親リモコン接続コネクタと、複数の子リモコン接続コネクタと、１つのソース接続コネクタと、１つのターゲット接続コネクタと、標識手段と、切替手段を備え、
親リモコン接続コネクタおよび子リモコン接続コネクタには、それぞれ１台のカラオケ選曲リモコンが接続可能であり、
ソース接続コネクタには、データ送り手装置が接続可能であり、
ターゲット接続コネクタには、データ受け手装置が接続可能であり、
標識手段は、親リモコン接続コネクタを介し、当該コネクタに接続されたカラオケ選曲リモコンに対して親標識信号を与え、
切替手段は、親リモコン接続コネクタを、複数の子リモコン接続コネクタ・ソース接続コネクタ・ターゲット接続コネクタの中の１つのコネクタと選択的に内部接続可能であり、
切替手段は、親リモコン接続コネクタを介し、当該コネクタに接続されたカラオケ選曲リモコンから入力される切替制御信号によって切替制御され、
カラオケ選曲リモコンは、親リモコン接続コネクタおよび子リモコン接続コネクタのいずれかに接続され、親標識信号を受信した場合は親モードを、そうでない場合は子モードを実行し、
親モードは、親受信処理と、親送信処理を可能とし、
親受信処理は、切替手段を制御して切替手段をソース接続コネクタに内部接続させ、データ送り手装置と通信して更新データを受信してデータベースを更新し、
親送信処理は、切替手段を制御して子リモコン接続コネクタまたはターゲート接続コネクタに内部接続させ、子モードのカラオケ選曲リモコンまたはデータ受け手装置と通信して更新データを送信し、
子モードは、親モードのカラオケ選曲リモコンと通信して更新データを受信してデータベースを更新する
システム。
【請求項２】
集合型クレードルと、複数台のカラオケ選曲リモコンとを備えたシステムであって、
集合型クレードルは、１つの親リモコン接続コネクタと、複数の子リモコン接続コネクタと、１つのソース接続コネクタと、標識手段と、切替手段を備え、
親リモコン接続コネクタおよび子リモコン接続コネクタには、それぞれ１台のカラオケ選曲リモコンが接続可能であり、
ソース接続コネクタには、データ送り手装置が接続可能であり、
標識手段は、親リモコン接続コネクタを介し、当該コネクタに接続されたカラオケ選曲リモコンに対して親標識信号を与え、
切替手段は、親リモコン接続コネクタを、複数の子リモコン接続コネクタ・ソース接続コネクタの中の１つのコネクタと選択的に内部接続可能であり、
切替手段は、親リモコン接続コネクタを介し、当該コネクタに接続されたカラオケ選曲リモコンから入力される切替制御信号によって切替制御され、
カラオケ選曲リモコンは、親リモコン接続コネクタおよび子リモコン接続コネクタのいずれかに接続され、親標識信号を受信した場合は親モードを、そうでない場合は子モードを実行し、
親モードは、親受信処理と、親送信処理を可能とし、
親受信処理は、切替手段を制御して切替手段をソース接続コネクタに内部接続させ、データ送り手装置と通信して更新データを受信してデータベースを更新し、
親送信処理は、切替手段を制御して子リモコン接続コネクタに内部接続させ、子モードのカラオケ選曲リモコンと通信して更新データを送信し、
子モードは、親モードのカラオケ選曲リモコンと通信して更新データを受信してデータベースを更新する
システム。
【発明の詳細な説明】
【０００１】
【発明の属する技術分野】
この発明は、カラオケ装置の周辺装備品として使用される検索式カラオケ選曲リモコンに関し、とくに、複数台の検索式カラオケ選曲リモコンを充電したり索引データベースを更新したするための集合型クレードルに関する。
【０００２】
【従来の技術】
発明者らは、分厚い印刷物のカラオケ目次本を電子化すべく、パームトップ型コンピュータを応用した検索式カラオケ選曲リモコンを開発した。これは、基本構成として、カラオケ装置で利用されるカラオケ楽曲データベースに対応した楽曲索引データベースを管理する手段と、タッチパネルに文字や画像を表示することにより利用者に向けて各種の情報を提示するとともに提示情報に関連して利用者によりタッチ入力される選択情報を認知する利用者インタフェースと、利用者が希望の楽曲を楽曲索引データベースに基づいて検索するための処理を利用者インタフェースの媒介で実行するデータベース検索手段と、このデータベース検索手段により特定された楽曲をカラオケ装置に演奏予約するためのリモコン信号を発信するリモコン信号発信手段とを備えている。
【０００３】
検索式カラオケ選曲リモコンは、非使用時にはクレードルに装着しておく。特許第３０８９５２９号にも開示されているように、クレードルは、リモコンに内蔵された二次電池を充電する機能と、カラオケ装置とリモコンとを通信させてリモコンのメモリに保存されている楽曲索引データベースを更新する機能とを担っている。
【０００４】
利用客の多いカラオケ店では多数の検索式カラオケ選曲リモコンを装備することになるが、そのために集合型クレードルが用意されている。集合型クレードルとは、１台のクレードルに複数台のリモコンを装着できるように構成されたものである。
【０００５】
【発明が解決しようとする課題】
典型例としては、カラオケ装置のＲＳ−２３２Ｃ通信端子にクレードルが接続され、クレードルに装着された検索式カラオケ選曲リモコンとカラオケ装置とが通信し、カラオケ装置からリモコンに更新データを転送する。通信速度は９６００bps 程度と比較的低速である。そのため、多数の検索式カラオケ選曲リモコンの一台一台にカラオケ装置から更新データを逐一転送していたのでは、その処理のためにカラオケ装置を長時間拘束することになり、実用的でないという問題があった。
【０００６】
この発明は前述した従来の問題点に鑑みなされたもので、その目的は、カラオケ装置からクレードル経由で多数の検索式カラオケ選曲リモコンの楽曲データベースを更新する処理を、総合的にできるだけ安価な構成により、能率がよく、信頼性の高い仕組みで実現できるようにした検索式カラオケ選曲リモコンの集合型クレードルを提供することにある。
【０００７】
【課題を解決するための手段】
第１発明に係るシステムは、便宜的に分説すると、つぎの事項（１）〜（13）により特定されるものである。
（１）集合型クレードルと、複数台のカラオケ選曲リモコンとを備えたシステムであること
（２）集合型クレードルは、１つの親リモコン接続コネクタと、複数の子リモコン接続コネクタと、１つのソース接続コネクタと、１つのターゲット接続コネクタと、標識手段と、切替手段を備えること
（３）親リモコン接続コネクタおよび子リモコン接続コネクタには、それぞれ１台のカラオケ選曲リモコンが接続可能であること
（４）ソース接続コネクタには、データ送り手装置が接続可能であること
（５）ターゲット接続コネクタには、データ受け手装置が接続可能であること
（６）標識手段は、親リモコン接続コネクタを介し、当該コネクタに接続されたカラオケ選曲リモコンに対して親標識信号を与えること
（７）切替手段は、親リモコン接続コネクタを、複数の子リモコン接続コネクタ・ソース接続コネクタ・ターゲット接続コネクタの中の１つのコネクタと選択的に内部接続可能であること
（８）切替手段は、親リモコン接続コネクタを介し、当該コネクタに接続されたカラオケ選曲リモコンから入力される切替制御信号によって切替制御されること
（９）カラオケ選曲リモコンは、親リモコン接続コネクタおよび子リモコン接続コネクタのいずれかに接続され、親標識信号を受信した場合は親モードを、そうでない場合は子モードを実行すること
（10）親モードは、親受信処理と、親送信処理を可能とすること
（11）親受信処理は、切替手段を制御して切替手段をソース接続コネクタに内部接続させ、データ送り手装置と通信して更新データを受信してデータベースを更新すること
（12）親送信処理は、切替手段を制御して子リモコン接続コネクタまたはターゲート接続コネクタに内部接続させ、子モードのカラオケ選曲リモコンまたはデータ受け手装置と通信して更新データを送信すること
（13）子モードは、親モードのカラオケ選曲リモコンと通信して更新データを受信してデータベースを更新すること
【０００８】
第２発明に係るシステムは、便宜的に分説すると、つぎの事項（21）〜（32）により特定されるものである。
（21）集合型クレードルと、複数台のカラオケ選曲リモコンとを備えたシステムであること
（22）集合型クレードルは、１つの親リモコン接続コネクタと、複数の子リモコン接続コネクタと、１つのソース接続コネクタと、標識手段と、切替手段を備えること
（23）親リモコン接続コネクタおよび子リモコン接続コネクタには、それぞれ１台のカラオケ選曲リモコンが接続可能であること
（24）ソース接続コネクタには、データ送り手装置が接続可能であること
（25）標識手段は、親リモコン接続コネクタを介し、当該コネクタに接続されたカラオケ選曲リモコンに対して親標識信号を与えること
（26）切替手段は、親リモコン接続コネクタを、複数の子リモコン接続コネクタ・ソース接続コネクタの中の１つのコネクタと選択的に内部接続可能であること
（27）切替手段は、親リモコン接続コネクタを介し、当該コネクタに接続されたカラオケ選曲リモコンから入力される切替制御信号によって切替制御されること
（28）カラオケ選曲リモコンは、親リモコン接続コネクタおよび子リモコン接続コネクタのいずれかに接続され、親標識信号を受信した場合は親モードを、そうでない場合は子モードを実行すること
（29）親モードは、親受信処理と、親送信処理を可能とすること
（30）親受信処理は、切替手段を制御して切替手段をソース接続コネクタに内部接続させ、データ送り手装置と通信して更新データを受信してデータベースを更新すること
（31）親送信処理は、切替手段を制御して子リモコン接続コネクタに内部接続させ、子モードのカラオケ選曲リモコンと通信して更新データを送信すること
（32）子モードは、親モードのカラオケ選曲リモコンと通信して更新データを受信してデータベースを更新すること
【０００９】
【発明の実施の形態】
第１の発明にかかる集合型クレードルの一実施例の構成を図１に示し、その使用状況を図２に示している。この例のクレードル１は、３つのスロット（第１スロットＳ１・第２スロットＳ２・第３スロットＳ３）を備え、各スロット２に１台ずつ合計３台の検索式カラオケ選曲リモコン２を装着することができる。各スロットＳ１・Ｓ２・Ｓ３にはそれぞれリモコン接続コネクタＣ１・Ｃ２・Ｃ３が配設されている。
【００１０】
楽曲索引データベースの更新データの送り手となるのは本源的にはカラオケ装置３であるが、図２に示しているように、更新を受けた検索式カラオケ選曲リモコン２が第１スロットＣ１に装着された集合型クレードル１もまた更新データの送り手となり得る。
【００１１】
更新データの送り手と接続するために、集合型クレードル１にはソース接続コネクタＣ４が配設されている。また、更新データの受け手となる他の集合型クレードル１と接続するために、集合型クレードル１にはターゲット接続コネクタＣ５が配設されている。
【００１２】
なお、これらのコネクタＣ１〜Ｃ５を介して行うデータ通信は、ＲＳ−２３２Ｃのシリアルインタフェース規格に準じた双方向通信である。
【００１３】
各コネクタＣ１〜Ｃ５はそれぞれ内部配線（データ通信用の配線）により切替回路４に接続されている。なお、ソース接続コネクタＣ４と切替回路４とを結ぶ配線途中、それにターゲット接続コネクタＣ５と切替回路４とを結ぶ配線途中には電圧変換と波形整形を行うバッファアンプ６が介在されている。
【００１４】
切替回路４において、各コネクタＣ１〜Ｃ５が配線されている各端子をそれぞれポートＰ１〜Ｐ５とする。切替回路４は、第１スロットＳ１のリモコン接続コネクタＣ１につながっている信号線５から制御ポートＰcontに印加される切替制御信号に従って動作し、第１スロットＳ１のリモコン接続コネクタＣ１につながっているポートＰ１を他の４つのポートＰ２〜Ｐ５のいずれか１つに選択的に接続するように回路構成されている。
【００１５】
リモコン接続コネクタＣ１・Ｃ２・Ｃ３は、切替回路４につながるデータ通信用の内部配線が接続されたピンの他に、コネクタＣ１の前記信号線５に対応するピンと、このクレードル１に内蔵の充電回路（図示省略）の出力をリモコン２に供給するための充電回路用のピンと、リモコン２がどのスロットＳ１・Ｓ２・Ｓ３に装着されているのかをリモコン２自身に認識させるための標識符号ピンなどが含まれている。
【００１６】
標識符号ピンは、各リモコン接続コネクタＣ１・Ｃ２・Ｃ３にそれぞれ２ピン存在する。図３に示すように、前述した「特定の１つのリモコン接続コネクタ」であるところの第１スロットＳ１のコネクタＣ１における２個の標識符号ピンはいずれも回路的にグランド接続されている。第２スロットＳ２と第３スロットＳ３の各２個の標識符号ピンは、一方がグランド接続されており、他方が開放されている。
【００１７】
各リモコン接続コネクタＣ１・Ｃ２・Ｃ３に接続されるリモコン２側の内部回路は、図３に示すように、２個の標識符号ピンに対応する２本のラインがプルアップ抵抗を介して電源に接続されており、その２本のライン（標識読取ラインとする）の電圧レベル（論理レベル）をリモコン２の中央処理装置（マイクロコンピュータ）が読み取るように構成されている。
【００１８】
したがって、第１スロットＳ１のコネクタＣ１に接続されたリモコン２における標識読取ラインは、２ビットの論理信号“００”を示す。また、第２スロットＳ２のコネクタＣ２および第３スロットＳ３のコネクタＣ３に接続されたリモコン２における標識読取ラインは、２ビットの論理符号“１０”を示す。また、いずれのスロットにも装着されていないリモコン２における標識読取ラインは、２ビットの論理符号“１１”を示すことになる。
【００１９】
このような標識手段により、検索式カラオケ選曲リモコン２の内蔵コンピュータは、リモコン自身が集合型クレードル１のスロットに装着されているのか否かを認識できるとともに、スロットに装着されている場合、装着位置は第１スロットＳ１なのか否かを認識できるように構成されている。
【００２０】
第１スロットＳ１に装着された検索式カラオケ選曲リモコン２は、そのことを認識し、図４の概略フローチャートに示すように動作する（このリモコンを親リモコンとも称する）。第２スロットＳ２または第３スロットＳ３に装着された検索式カラオケ選曲リモコン２は、そのことを認識し、図５の概略フローチャートに示すように動作する（このリモコンを子リモコンとも称する）。
【００２１】
親リモコン２は、切替回路４の制御ポートＰcontに信号を与え、まずポートＰ１をポートＰ４に接続させる。これにより、親リモコン２が接続されているコネクタＣ１とソース接続コネクタＣ４とが接続される。ここでは図２に示した使用例（Ａ）のように、ソース接続コネクタＣ４にカラオケ装置３が接続されているとする。親リモコン２はカラオケ装置３と通信し、楽曲索引データベースのリリース番号を受け取り、親リモコン２が保有している楽曲索引データベースのリリース番号と比較することで、データベース更新処理を行う必要があるか否かを判断する。データベース更新を行う場合は、親リモコン２はカラオケ装置３と通信し、更新データを受け取って必要な処理を実行する。
【００２２】
つぎに親リモコン２は、切替回路４を切替制御し、ポートＰ１をポートＰ５に接続させる。これにより、親リモコン２が接続されているコネクタＣ１とターゲット接続コネクタＣ５とが接続される。図２に示した使用例（Ａ）ではターゲット接続コネクタＣ５にはなにも接続されていない。使用例（Ｂ）と（Ｃ）の場合は、第１クレードルのターゲット接続コネクタＣ５が第２クレードルのソース接続コネクタＣ４に接続されている。
【００２３】
親リモコン２は、ターゲット接続コネクタＣ５を介して通信を試みて、応答があるか否かを確認する。使用例（Ｂ）と（Ｃ）では、第１クレードルの親リモコン２（第１親リモコンとする）が第２クレードルの親リモコン２（第２親リモコンとする）からの応答を検出することになる。この場合、第１親リモコンが応答してきた第２親リモコンが保有するデータベースのリリース番号を聞きだし、自身が保有するリリース番号と比較して、第２親リモコンのリリース番号の方が古かったらなば、第１親リモコンから第２親リモコンに更新データを転送する。第２親リモコンは受け取った更新データに従ってデータベースを更新する。
【００２４】
つぎに親リモコン２は、切替回路４を切替制御し、ポートＰ１をポートＰ２に接続させる。これにより、親リモコン２が接続されているコネクタＣ１と子リモコンが接続されているかもしれないコネクタＣ２とが接続される。親リモコン２はコネクタＣ２を介して通信を試みて、応答があるか否かを確認する。コネクタＣ２に子リモコン２が接続されていれば、これが応答するので、子リモコン２からリリース番号を聞きだし、それが古かったなら親リモコンから子リモコンに更新データを転送し、子リモコンはそれを受け取ってデータベースを更新する。
【００２５】
つぎに親リモコン２は、切替回路４を切替制御し、ポートＰ１をポートＰ３に接続させる。これにより、親リモコン２が接続されているコネクタＣ１と子リモコンが接続されているかもしれないコネクタＣ３とが接続される。親リモコン２はコネクタＣ３を介して通信を試みて、応答があるか否かを確認する。コネクタＣ３に子リモコン２が接続されていれば、これが応答するので、子リモコン２からリリース番号を聞きだし、それが古かったなら親リモコンから子リモコンに更新データを転送し、子リモコンはそれを受け取ってデータベースを更新する。
【００２６】
【発明の効果】
この発明にかかる集合型クレードルは、データ通信機能に関する構成としては複数個のコネクタと各コネクタ間の接続切替をする切替回路を備えているのみであり、きわめて簡単な構成できわめて安価に量産することができる。そのような集合型クレードルの特定の１つのコネクタに接続された検索式カラオケ選曲リモコンが前記切替回路を制御する主体となり、さらにこのリモコンが主導して、カラオケ装置や他のクレードルに装着されているリモコンなどのデータ送り手、当該クレードルに装着されている他のリモコン、あるいは他のクレードルに装着されているリモコンなどのデータ受け手との間のデータ通信を行い、多数のリモコンが保有している楽曲索引データベースを能率よく更新できるとともに、その更新処理の信頼性も高いものとなる。
【図面の簡単な説明】
【図１】この発明の一実施例による集合型クレードルの概略構成図である。
【図２】同上集合型クレードルの使用状況を示す概略図である。
【図３】同上集合型クレードルにおける標識手段の説明図である。
【図４】同上集合型クレードルに装着された親リモコンの処理の概要を示すフローチャートである。
【図５】同上集合型クレードルに装着された子リモコンの処理の概要を示すフローチャートである。
【符号の説明】
１  集合型クレードル
２  検索式カラオケ選曲リモコン
３  カラオケ装置
４  切替回路
Ｃ１  特定の１つのリモコン接続コネクタ
Ｃ２・Ｃ３  リモコン接続コネクタ
Ｃ４  ソース接続コネクタ
Ｃ５  ターゲット接続コネクタ
【図１】
0003946537.tif 000002
【図２】
0003946537.tif 000003
【図３】
0003946537.tif 000004
【図４】
0003946537.tif 000005
【図５】
0003946537.tif 000006